(57)【要約】  本発明は、電子装置を駆動する駆動回路、電子装置を駆動する方法、およびそれに対応するこのような駆動回路を含む電子装置を提供する。本発明による駆動回路は、第１および第２のクロック信号をプッシュプル・モードで生成するようになされている。一実施形態では、第１および第２のクロック信号はそれぞれのドライバ・モジュールによって生成され、結合モジュールによってプッシュプル・モード結合される。さらに、本発明による駆動回路の実施形態は、電荷結合素子の内部容量とともに共振回路を構成する誘導素子を含む。共振回路の共振周波数は、クロック信号の周波数と実質的に等しく、従って、駆動回路の電力消費を効果的に低減することができる。
2008508827.tif 000002
【特許請求の範囲】
【請求項１】
電子構成部品を駆動する電子回路であって、
クロック信号発生器と、
前記クロック信号発生器に結合され、前記クロック信号発生器からのクロック信号に基づいて、少なくとも第１のクロック信号および前記第１のクロック信号に対して反転している第２のクロック信号を供給する駆動ユニットと、
前記第１のクロック信号と前記第２のクロック信号をプッシュプル結合する結合モジュールとを含む電子回路。
【請求項２】
前記電子構成部品が電荷結合素子である、請求項１に記載の電子駆動回路。
【請求項３】
前記結合モジュールが、前記第１および第２のクロック信号のコモン・モード成分を除去するコモン・モード・チョークを含む、請求項１に記載の電子駆動回路。
【請求項４】
少なくとも第１および第２の誘導素子をさらに含み、前記第１および第２の誘導素子と電荷結合素子の内部容量とが、マスタ・クロック信号の周波数と実質的に等しい共振周波数を有する共振回路を構成している、請求項１に記載の電子駆動回路。
【請求項５】
第１および第２の抵抗値を有する少なくとも第１および第２の抵抗器をさらに含む、前記第１および第２の抵抗器が、前記共振回路を減衰させる、請求項４に記載の電子駆動回路。
【請求項６】
電荷結合素子の駆動方法であって、
マスタ・クロック信号を生成するステップと、
前記マスタ・クロック信号から、第１のクロック信号および反転した前記第１のクロック信号と実質的に等しい第２のクロック信号を導出するステップと、
前記第１のクロック信号と前記第２のクロック信号を結合モジュールによってプッシュプル・モードで結合するステップとを含む方法。
【請求項７】
前記マスタ・クロック信号の周波数に対応する共振周波数を有する共振回路によって前記電荷結合素子を駆動するステップをさらに含む、請求項６に記載の駆動方法。
【請求項８】
電荷結合素子および電子駆動回路を有し、前記電荷結合素子が前記駆動回路が生成した第１および第２のクロック信号によって駆動される電子装置であって、前記駆動回路が、
マスタ・クロック信号を生成するクロック発生器と、
前記マスタ・クロック信号を受信したのに応答して、少なくとも第１のクロック信号、および反転した前記第１のクロック信号と実質的に等しい第２のクロック信号を供給する駆動ユニットと、
前記第１のクロック信号と前記第２のクロック信号をプッシュプル結合する結合モジュールとを含む、電子装置。
【発明の詳細な説明】
【技術分野】
【０００１】
本発明は、電荷結合素子（ＣＣＤ）の電子駆動回路の分野に関する。
【背景技術】
【０００２】
電荷結合素子（ＣＣＤ）は、画像取得に広範囲に使用されている。ＣＣＤセンサは、通常、効率的に光を電気信号に変換する。ＣＣＤセンサは、好ましくは１次元または２次元のアレイ状に配列された複数の感光ピクセルを特徴とする。ＣＣＤセンサを構成するこれらの様々なピクセルは、入射光の強度に比例した電荷を蓄積するようになっている。このようにして、ＣＣＤセンサが取得した空間的光パターン、例えば画像は、通常は対応する電荷パターンに変換される。この電荷パターンを読み出さなければならないので、ピクセルまたは隣接する容量性素子によって別個に蓄積された電荷パケットを、ＣＣＤの出力ノードに転送しなければならない。
【０００３】
１次元バケット・ブリゲード遅延線または２次元ＣＣＤアレイの何れでも、通常、電荷の転送は、垂直シフト・レジスタおよび／または水平シフト・レジスタによって行われる。こうして、ＣＣＤセンサの様々なピクセルで蓄積された各電荷パケットは、最終的にＣＣＤセンサの出力ノードに到達するまで、隣の容量性素子に次々にシフトされていく。出力ノードでは、通常は、個別の各電荷パケットを増幅し、その後の信号処理を効率的に高い信頼性で行うことができるようにする。
【０００４】
取得した電荷のシフトは、通常は、ＣＣＤセンサのクロッキングによって指定される一定の時間間隔で行われる。
【０００５】
ＣＣＤセンサの読出しには、２相クロッキング、３相クロッキング、４相クロッキング、またはビニング（ｂｉｎｎｉｎｇ）を用いた、すなわちいくつかの隣接するピクセルからの電荷パケットを結合した後で出力増幅器に送るその他のクロッキング構成など、複数の異なるクロッキング方式がある。原理的には、これらのクロッキング方式は、隣接して位置する複数の蓄積ゲートを低電圧および高電圧に交互に切り替えることに基づく。このようにして、電位障壁を水平方向または垂直方向に段階的にシフトさせることによって、電荷パケットを隣接するピクセルまたは容量性素子に効果的にシフトさせることができる。クロッキング方式、ＣＣＤセンサのピクセルの総数、ならびに画像取得のフレーム・レートによっては、クロッキング周波数を数十ＭＨｚまたは数百ＭＨｚの高さにすることもできる。
【０００６】
通常は、ＣＣＤセンサは、外部クロッキング回路による当該ＣＣＤセンサの効率的且つ全体的な駆動を可能にする２つのクロッキング電極を含む。従って、クロッキング信号、すなわちＣＣＤ読出し用の駆動信号を、ＣＣＤセンサ自体が生成する必要はない。このようにして、１種類のＣＣＤチップを用いて、複数のＣＣＤベースの構成を実現することができる。ただし、別個の様々なＣＣＤピクセルのクロッキングは、外部クロッキング信号の受信に応答してＣＣＤセンサ自体によって行われる。
【０００７】
２つのクロッキング電極を有するＣＣＤセンサの外部クロッキングは、通常は、プッシュプル・モードのクロッキング信号に基づいて行われる。これはつまり、ＣＣＤセンサの第１のクロッキング電極および第２のクロッキング電極にそれぞれ印加される第１のクロッキング信号および第２のクロッキング信号が反転信号である、すなわち第１のクロッキング信号が、反転した第２のクロッキング信号と実質的に等しいということである。
【０００８】
しかし、２つのクロッキング信号は、通常は、非対称成分を含む。すなわち、２つのクロッキング信号の立上り縁部および立下り縁部の時間間隔は、部分的にしか重複しない、または完全には対称にならない。従って、プッシュプル・モードの２つのクロッキング信号の交点は、通常はゼロ点からずれている。その結果として、２つのクロッキング信号は、コモン・モード成分、またはＣＣＤセンサ内における電荷担体の転送に不利なＤＣオフセットを特徴とする。特に、ＣＣＤの基板に対するクロッキング信号のコモン・モード成分により、ＣＣＤセンサの出力の質が深刻な影響を受ける可能性がある。
【発明の開示】
【課題を解決するための手段】
【０００９】
本発明の種々の実施形態は、電子構成部品を駆動する電子回路を提供するものである。この電子回路は、駆動ユニットに結合されたクロック信号発生器を含む。駆動ユニットは、前記クロック信号発生器からのクロック信号に基づいて、少なくとも第１および第２のクロック信号を提供する。第２のクロック信号は、第１のクロック信号に対して反転している。結合モジュールによって、第１のクロック信号と第２のクロック信号はプッシュプル結合される。
【発明を実施するための最良の形態】
【００１０】
以下、図面を参照しながら、本発明の好ましい実施形態について詳細に述べる。
【００１１】
図２は、典型的な駆動信号を示す図である。実線Ａおよび破線Ｂは、それぞれＣＣＤシフト・クロック、および反転ＣＣＤシフト・クロックを示す。一点鎖線Ｃは、ＣＣＤシフト・クロックのコモン・モード成分を示す。衝撃係数ならびに立上り時間および立下り時間はそれぞれ、線ＡおよびＢでは対称である。従って、コモン・モード信号Ｃは存在しない。すなわち。線Ｃはゼロ・レベルで平坦である。ゼロを示す線は３つの信号に共通ではないことに留意されたい。
【００１２】
図３は、不完全な駆動信号の第１の例である。ここに示す線およびそれらが示すものは、図２と同じである。ＣＣＤシフト・クロック信号Ａと反転ＣＣＤシフト・クロック信号Ｂの衝撃係数が異なる。従って、コモン・モード信号Ｃは平坦ではなくなり、一定の時間にＤＣ成分が生じている。
【００１３】
図４は、不完全な駆動信号の第２の例である。ここに示す線およびそれらが示すものは、図２および図３と同じである。信号Ａと信号Ｂの立上り時間および立下り時間が異なる。従って、コモン・モード信号Ｃは平坦ではなくなり、一定の時間にＤＣ成分が生じている。
【００１４】
図５は、不完全な駆動信号の第３の例である。上記と同様、ここに示す線およびそれらが示すものは、図２から図４と同じである。ＣＣＤシフト・クロック信号とその反転信号の間に時間遅延が存在する。この点を除けば、これらの信号は実質的に対称である。しかし、コモン・モード信号Ｃは平坦ではなくなるが、この場合はＤＣ成分が生じない。コモン・モード信号の符号が変化することにより、互いに打ち消し合っている。それでもなお、コモン・モード信号が接続された回路を妨害している可能性はある。
【００１５】
さらに、ＣＣＤセンサのクロッキング電極は、通常は比較的高い容量を示し、これによりＣＣＤチップの駆動回路でかなりの電力損失が生じる。
【００１６】
本発明の実施形態は、電荷結合素子のための駆動回路を改良するものである。一実施形態では、クロッキング信号のプッシュプル結合の改良、ならびに電力損失の低減を実現する。
【００１７】
本発明の一実施形態は、第１および第２のクロック信号によって電子構成部品を駆動する電子駆動回路を提供するものである。一実施形態によれば、駆動回路は、マスタ・クロック信号を生成するクロック発生器を含む。この駆動回路は、マスタ・クロック信号の受信に応答して第１および第２のクロック信号を生成するようになされた駆動ユニットをさらに含む。一実施形態によれば、第２のクロック信号は、反転した第１のクロック信号と実質的に等しい。
【００１８】
第１および第２のクロック信号は、通常は、コモン・モード成分を含む。すなわち、第１および第２のクロック信号ぞれぞれの立上り縁部および立下り縁部の時間間隔は完全には重複しない、または完全には対称ではない。従って、立上り縁部および立下り縁部が立下り縁部および立上り縁部に変化する時点は正確には一致しない。従って、駆動回路はさらに、第１のクロック信号と第２のクロック信号をプッシュプル結合する結合モジュールを含む。この結合モジュールは、第１のクロック信号および第２のクロック信号の立上り縁部および立下り縁部の時間間隔が正確に重複するように、第１のクロック信号および第２のクロック信号の一方を適宜遅延させる働きをする。
【００１９】
結合モジュールは、第１のクロック信号および第２のクロック信号のコモン・モード成分を効果的に抑制する。こうして、第１のクロック信号と第２のクロック信号の対称性が向上し、これら２つのクロック信号のＤＣオフセットが効果的に低減される。場合によっては、ＤＣオフセットが消滅することもある。従って、精密なプッシュプル・モードにあるクロック信号で電子構成部品を駆動することができる。
【００２０】
本発明の一実施形態によれば、駆動ユニットは、少なくとも第１および第２の駆動モジュールを含む。第１および第２の駆動モジュールは、それぞれ第１および第２のクロック信号を生成する。例えば、一実施形態によれば、駆動モジュールは、電子構成部品を適切に駆動するためにマスタ・クロック信号を増幅する働きをする演算増幅器として実施される。本発明の一実施形態によれば、２つの駆動モジュールのうち少なくとも一方は、反転演算増幅器として実施される。こうして、第２のクロック信号は、反転した第１のクロック信号と実質的に等しくなる。また、その逆も言える。
【００２１】
しかし、第１および第２の駆動モジュールの電気構成部品の電気的性質は、場合によっては互いにわずかに異なることもある。例えば、一実施形態によれば、演算増幅器は、相補型金属酸化膜半導体（ＣＭＯＳ）トランジスタを含む。この構成部品は、非対称な切り替え動作を示す傾向がある。また、これらの標準的な電子構成部品は、内部抵抗および容量にわずかな差がある。さらに、駆動モジュールは、通常はＭＨｚの範囲の高周波数動作限界付近で動作する。電圧は数ボルトであり、実効電流は１アンペアを超えるのが一般的である。従って、出力信号に非対称性が生じる可能性が高い。
【００２２】
本発明の一実施形態によれば、結合モジュールは、駆動モジュールによって生じる非対称性を抑制するとともに、第１のクロック信号と第２のクロック信号の最適なプッシュプル結合をもたらす働きをする。
【００２３】
本発明の種々の実施形態は、第１および第２のクロッキング電極を有する駆動回路に広く適用される。特に、結合モジュールを利用することにより、第１のクロック信号と第２のクロック信号の最適なプッシュプル結合が実現される。
【００２４】
本発明の一実施形態によれば、電子構成部品は、電荷結合素子（ＣＣＤ）またはＣＣＤセンサである。ＣＣＤ装置は、入射光を電気信号に変換するようになされている。ＣＣＤセンサは、通常は、第１のクロック信号および第２のクロック信号によってそれぞれプッシュプル・モードで駆動される第１のクロッキング電極および第２のクロッキング電極を含む。
【００２５】
本発明の別の実施形態によれば、結合モジュールは、第１および第２のクロック信号のコモン・モード成分を除去するコモン・モード・チョークを含む。このコモン・モード・チョークは、共通のコアに巻きつけた実質的に同じ巻線を有する第１のコイルおよび第２のコイルを含む。２つのクロック信号がプッシュプル・モードである限り、第１および第２のクロック信号によってコア内部に発生する磁束は、相互に打ち消し合う。正味の磁束はゼロとなり、コモン・モード・チョークの誘導率は実質的にゼロとなる。すなわち、コモン・モード・チョークは、２つのクロック信号に顕著な影響を与えない。
【００２６】
第１および第２のクロック信号がコモン・モード成分を有するとき、すなわち、これらのクロック信号の少なくとも一部分が同時に立ち上がるか立ち下がるときには、対応する磁場は互いに打ち消し合わなくなる。従って、コア内部の正味の磁束は、ゼロではなくなる。その結果として、コモン・モード・チョークは、クロック信号の一方を遅延させることによって第１のクロック信号と第２のクロック信号の効果的なプッシュプル・モード結合を強化する働きをする、かなりの誘導率を示す。
【００２７】
本発明のさらに別の実施形態によれば、駆動回路は、少なくとも第１および第２の誘導素子をさらに含む。第１および第２の誘導素子、ならびに電荷結合素子の内部容量は、共振回路を形成するようになされている。この共振回路は、マスタ・クロック信号の周波数と実質的に等しい共振周波数を有する。こうして、ＣＣＤのクロッキングは、共振的に行われる。本発明の一実施形態では、これは、マスタ・クロック信号の周波数、および／または第１および第２の誘導素子の少なくとも一方の誘導率を適切に調整することによって、効果的に実施することができる。共振周波数付近で駆動回路を動作させることにより、電力損失が効果的に低減される。
【００２８】
さらに、この共振構成では、ＣＣＤセンサが駆動ユニットの最大出力電圧を超える電圧で駆動される可能性がある。ＣＣＤセンサを非共振的に駆動する場合と比較すると、ＣＣＤセンサのクロッキング電極に印加される電圧を同時に維持することにより、駆動ユニットの出力電圧は効果的に低減される。ＣＣＤセンサのクロッキングを行う駆動回路全体の電力消費が、効果的に低減されるので有利である。
【００２９】
ただし、これらの追加の誘導素子は、必ずしも個別の構成部品として設けられるわけではない。端子に存在する容量および所望の共振周波数によっては、コモン・モード・チョークの浮遊インダクタンス（ｓｔｒａｙ  ｉｎｄｕｃｔａｎｃｅ）と端子の容量との組み合わせで、充分に所望の共振状態を実現できる。
【００３０】
本発明のさらに別の実施形態によれば、駆動回路は、第１の抵抗値および第２の抵抗値を有する第１の抵抗器および第２の抵抗器をさらに含む。第１および第２の抵抗器は、共振回路の減衰を行うようになされている。このようにして、ＣＣＤセンサの容量と、第１および第２の誘導素子と、第１および第２の抵抗器とによって形成される共振回路は、減衰共振回路である。共振回路の減衰は、クロッキング信号の中断に特に有利である。
【００３１】
例えば、ＣＣＤセンサで光学素子（ｐｈｏｔｏ  ｅｌｅｍｅｎｔ）からシフト・レジスタへの電荷の転送が行われるとき、またはＣＣＤセンサの読出しが行われないときには、一般に、クロッキング信号をＣＣＤセンサのクロッキング電極に印加する必要はない。第１および第２の抵抗器は、駆動回路のオン・オフ切り替え特性を最適化するように適切に大きさを決めることができる。
【００３２】
別の態様では、本発明は、電荷結合素子の駆動方法を提供する。本発明による駆動方法は、マスタ・クロック信号を生成するステップと、マスタ・クロック信号から第１および第２のクロック信号を導出するステップと、第１および第２のクロック信号をプッシュプル・モードで結合するステップとを含む。マスタ・クロック信号からの第１および第２のクロック信号の導出は、適当な複数の駆動モジュールによって行うことが好ましく、これらの駆動モジュールの１つは、マスタ・クロック信号の反転増幅を行う。その結果として、第２のクロック信号は、反転した第１のクロック信号と実質的に等しく、またその逆も言える。ここで、マスタ・クロック信号から第１および第２のクロック信号を生成するだけでは、電荷結合素子を最適に駆動するには不充分である。従って、第１のクロック信号と第２のクロック信号をプッシュプル・モードで結合する結合モジュールを利用することによって、第１および第２のクロック信号の非対称性およびコモン・モード成分を抑制する、または効果的にフィルタリングしなければならない。
【００３３】
さらに別の態様では、本発明は、電荷結合素子および電子駆動回路を有する電子装置を提供する。電荷結合素子は、駆動回路が生成する第１のクロック信号および第２のクロック信号によって駆動される。駆動回路は、マスタ・クロック信号を生成するクロック発生器と、第１および第２のクロック信号を生成する駆動ユニットと、第１のクロック信号と第２のクロック信号をプッシュプル結合する結合モジュールとを含む。第１および第２のクロック信号は、マスタ・クロック信号を受信するのに応答して、駆動ユニットによって生成される。通常は、第１および第２のクロック信号を生成すると、必然的に非対称性およびコモン・モード成分も生じる。
【００３４】
従って、生成された第２のクロック信号は、反転した第１のクロック信号に実質的に等しい。従って、結合モジュールは、第１のクロック信号と第２のクロック信号の精密なプッシュプル結合を行うようになされている。このようにして、駆動回路の結合モジュールは、ＣＣＤセンサの第１および第２のクロッキング電極にそれぞれ印加される第１および第２のクロック信号のコモン・モード成分および非対称性を効果的に抑制する。
【００３５】
図１は、本発明による駆動回路１０の一実施形態を示す概略図である。駆動回路１０は、第１および第２のクロック信号によって電荷結合素子（ＣＣＤ）１２を駆動する。本発明の駆動回路１０は、クロック発生器１４および駆動ユニット１６を含む。駆動回路１０はさらに、結合モジュール２２と、第１および第２の誘導素子２４、２６と、第１および第２の抵抗器３０、３２と、追加抵抗器３４とを含む。抵抗器３４は、信号発生器のソース抵抗である。駆動ユニット１６はさらに、第１および第２の駆動モジュール１８、２０を有する。クロック信号は、駆動回路１０によって生成され、ＣＣＤ１２の接触電極１１、１３によって電荷結合素子１２に結合される。ＣＣＤ１２の内部容量２８は、π構成の３つのコンデンサを特徴とする等価回路図で表してある。この図は、ＣＣＤの１つの接続状態を簡略化して示したものに過ぎないことに留意されたい。ただし、ＣＣＤの図示の部分は、本発明が有利に利用される一部分の例である。
【００３６】
マスタ・クロック信号は、クロック発生器１４によって生成され、駆動ユニット１６の第１および第２の駆動モジュール１８、２０に並列に供給される。一実施形態によれば、第１および第２の駆動モジュール１８、２０は、受信したマスタ・クロック信号をほぼ等しく増幅する。しかし、駆動モジュールの一方、例えば駆動モジュール２０の出力は反転している。このようにして、ＣＣＤ１２を駆動するための２つのクロック信号が生成される。しかし、駆動モジュール１８、２０の電子構成部品のばらつきにより、生成される第１のクロック信号および第２のクロック信号は、対称的なプッシュプル信号ではない。通常は、第１のクロック信号および第２のクロック信号は精密なプッシュプル・モードではなく、ＣＣＤ１２の読出しに悪影響を及ぼすかなりのコモン・モード成分を有する。
【００３７】
本発明の一実施形態ではコモン・モード・チョークとして実装される結合モジュール２２により、第１のクロック信号と第２のクロック信号は、その交点がゼロ交差と一致するように結合される。さらに、第１および第２のクロック信号の立上り縁部および立下り縁部の時間間隔はより大きく重複する。このようにして、コモン・モード・チョーク２２は、第１および第２のクロック信号のコモン・モード成分、またはＤＣオフセットを抑制する働きをする。このようにして、第１のクロック信号および第２のクロック信号の非対称性が効果的にフィルタリングされる。従って、ＣＣＤ１２は、より最適なプッシュプル・モードで駆動される。
【００３８】
第１および第２の誘導素子２４、２６ならびにＣＣＤ１２の内部容量２８は、実質的に、特定の共振周波数を有する共振回路を形成する。本発明の一実施形態では、内部容量２８および誘導素子２４、２６の何れかは、共振回路の共振周波数がマスタ・クロック信号の周波数と実質的に等しくなるように大きさを決められる。このようにして、ＣＣＤ１２のクロッキングは、効果的に共振的に行われる。これにより、電力損失および電力散逸を効果的に低減することができ、駆動ユニット１６の出力電圧をより低くすることが可能になる。同時に、ＣＣＤ１２の第１および第２のクロッキング電極１１、１３に印加されるクロック信号の電圧が充分な電圧に維持される。このようにして、ＣＣＤ読取りの電力消費が効果的に低減される。
【００３９】
駆動回路１０は、第１および第２の抵抗器３０、３２をさらに含む。抵抗器３０、３２は、共振回路を効果的に減衰する。内部容量２８と第１および第２の誘導素子２４、２６とによって構成される共振回路の減衰は、一方では共振振幅を制限し、他方では駆動回路のオン・オフ切り替え特性を最適化する。特に、クロッキング信号が中断される場合には、共振を十分に減衰することが必要である。共振回路のオン・オフ切り替え特性の最適化は、抵抗器３０、３２の大きさを適切に決めることによって行われる。
【００４０】
その結果として、本発明の駆動回路１０は、電荷結合素子１２のクロッキングの改善をもたらす。当業者なら理解するであろうが、本発明の駆動回路１０は、外部クロッキングに適した、第１および第２のクロッキング電極を有する任意の電子構成部品に適用される。特に、結合モジュール２２を用いることにより、第１および第２のクロック信号の最適なプッシュプル結合が実現される。さらに、本発明の一実施形態では、適当な誘導素子を用いることによって、例えばＣＣＤセンサなどの電子構成部品のクロッキングが、電力消費を効果的に低減する共振モードで行われる。
【図面の簡単な説明】
【００４１】
【図１】本発明の駆動回路を示す概略ブロック図である。
【図２】理想的な駆動信号の例を示す概略図である。
【図３】不完全な駆動信号の第１の例である。
【図４】不完全な駆動信号の第２の例である。
【図５】不完全な駆動信号の第３の例である。
【図１】
2008508827.tif 000003
【図２】
2008508827.tif 000004
【図３】
2008508827.tif 000005
【図４】
2008508827.tif 000006
【図５】
2008508827.tif 000007
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
電子構成部品を駆動する電子回路であって、
クロック信号発生器と、
前記クロック信号発生器に結合され、前記クロック信号発生器からのクロック信号に基づいて、少なくとも第１のクロック信号および前記第１のクロック信号に対して反転している第２のクロック信号を供給する駆動ユニットと、
前記第１のクロック信号と前記第２のクロック信号をプッシュプル結合する結合モジュールとを含む電子回路。
【請求項２】
前記結合モジュールが、前記第１または第２のクロック信号の一方を遅延させて、前記第１および第２のクロック信号の立上り縁部および立下り縁部の時間間隔を重複させるようになされる、請求項１に記載の電子駆動回路。
【請求項３】
前記結合モジュールが、前記第１および第２のクロック信号のコモン・モード成分を除去するコモン・モード・チョークを含む、請求項１または２に記載の電子駆動回路。
【請求項４】
前記電子構成部品が電荷結合素子である、前記請求項の何れか一項に記載の電子駆動回路。
【請求項５】
少なくとも第１および第２の誘導素子をさらに含み、前記第１および第２の誘導素子と電荷結合素子の内部容量とが、マスタ・クロック信号の周波数と実質的に等しい共振周波数を有する共振回路を構成している、請求項４に記載の電子駆動回路。
【請求項６】
第１および第２の抵抗値を有する少なくとも第１および第２の抵抗器をさらに含む、前記第１および第２の抵抗器が、前記共振回路を減衰させる、請求項５に記載の電子駆動回路。
【請求項７】
電荷結合素子を駆動する方法であって、
マスタ・クロック信号を生成するステップと、
前記マスタ・クロック信号から、第１のクロック信号および反転した前記第１のクロック信号と実質的に等しい第２のクロック信号を導出するステップと、
前記第１のクロック信号と前記第２のクロック信号を結合モジュールによってプッシュプル・モードで結合するステップとを含む方法。
【請求項８】
前記マスタ・クロック信号の周波数に対応する共振周波数を有する共振回路によって前記電荷結合素子を駆動するステップをさらに含む、請求項７に記載の方法。
【請求項９】
電荷結合素子および電子駆動回路を有し、前記電荷結合素子が前記駆動回路が生成した第１および第２のクロック信号によって駆動される電子装置であって、前記駆動回路が、
マスタ・クロック信号を生成するクロック発生器と、
前記マスタ・クロック信号を受信したのに応答して、少なくとも第１のクロック信号、および反転した前記第１のクロック信号と実質的に等しい第２のクロック信号を供給する駆動ユニットと、
前記第１のクロック信号と前記第２のクロック信号をプッシュプル結合する結合モジュールとを含む、電子装置。
【国際調査報告】
2008508827.tif 000008
2008508827.tif 000009